【事件の表示】
　特願２０１０−５０９５５５「サプライチェーン管理システム」拒絶査定不服審判事件〔平成２０年１２月　４日国際公開、ＷＯ２００８／１４７８９７、平成２２年　９月　２日国内公表、特表２０１０−５３００９４〕について、次のとおり審決する。
【結　論】
　本件審判の請求は、成り立たない。
【理　由】
第１　手続の経緯
　本願は，２００８年５月２２日（パリ条約による優先権主張外国庁受理２００７年５月２５日　米国）を国際出願日とする出願であって，平成２４年１０月１７日付けで拒絶理由通知がなされ，平成２５年４月２３日に手続補正がなされたが，同年１０月２３日付けで拒絶査定がなされ，これに対して，平成２６年２月２８日に拒絶査定不服審判が請求されるとともに手続補正がなされ，当審において平成２７年４月１０日付けで拒絶理由通知がなされ，同年８月１３日に手続補正がなされたものである。
　
第２　本願発明
　
　本願の請求項１１に係る発明（以下「本願発明」という。）は，平成２７年８月１３日の手続補正により補正された特許請求の範囲の請求項１１に記載された，次のとおりのものである。
＜本願発明＞
「複数のメンバーを含むサプライチェーンを含むサプライチェーン管理システムを運用する方法であって，
　前記複数のメンバーの１以上がネットワークを介しデータベースにアクセスするステップと，
　輸送システムを利用して輸送装置により前記サプライチェーンを介し１以上の商品を移動するステップと，
　コントローラを利用して少なくとも１つのセンサを前記商品に割り当てるステップと，
　前記センサ及び前記コントローラを利用して前記商品の少なくとも１つの状態を監視するステップと，
　前記コントローラを利用して前記ネットワークを介し前記データベースに前記少なくとも１つの商品の状態を表すデータを通信するステップと，
　オンラインアクセスシステムを介し消費者による前記データベースへのアクセスを可能にするステップと，
　前記オンラインアクセスシステムを利用して前記商品の履歴と予測される保存期間との少なくとも１つをほぼリアルタイムにより追跡するステップと，
　商品データが所定のパラメータを超過したことに応答して，前記コントローラを介し自動信号を生成するステップと，
　前記自動信号に応答して，前記コントローラ及び前記ネットワークを利用して前記サプライチェーン内に前記商品をリダイレクトするステップと，
を有する方法。」
第３　引用文献
　
１．米国特許出願公開第２００５／０１７１７３８号明細書
　
　原査定の拒絶の理由において引用された米国特許出願公開第２００５／０１７１７３８号明細書（以下，「引用文献１」という。）には，次の事項が記載されている（下線は，当審において付与した。）。
　
（１）方法全体に関する記載
　
「[0031] The following paragraphs describe novel and nonobvious systems and methods in which environmental sensor technology is used in connection with a product delivery system. The systems and methods described herein provide means for tracking and verifying the environmental conditions to which a product within a container has been subjected during its movement through a supply chain.」
（当審訳：[0031]　以下の段落は，
環境センサー技術が製品配送システムと関連して使用されている
方法は，コンテナ内の製品が供給チェーンを介して移動中にさらされていた環境条件を追跡および確認する
　
（２）製品配送システムに関する記載
　
「[0035] FIG. 1. is a view of a product delivery system 10 that employs environmental sensor technology to capture product environment data in accordance with an embodiment of the present invention. The system 10 includes an environmental sensor 12 physically associated with a product 13 in a container 14 that is to be shipped from a sender 16 to a receiver 18. The system 10 further comprises a carrier logistics network 20 for shipping the container 14 with its product 13, and a computer system 22 for monitoring various aspects of the shipping process.」
（当審訳：[0035]　図１は，本発明の実施形態による製品環境データを捕捉するための環境センサー技術を用いる
製品配送システム１０
システム１０は，発送人１６から受取人１８に出荷されるコンテナ１４内の製品１３に物理的に付随する環境センサー１２を含む。システム１０はさらに，製品１３を具備するコンテナ１４を出荷するための搬送業者物流ネットワーク２０と，出荷プロセスの種々の態様を監視するためのコンピュータシステム２２とを備える。
　
（３）識別データに関する記載
「[0037] The product 13 and/or container 14 can have identification data 83 for identifying the product and/or container 14. （中略）
[0038] In one embodiment, the identification data 83 is stored in the sensor 12 and can be read by a scanner at one or more points along the shipping route. In another embodiment, the identification data 83 is identified on a printed medium 21 attached to the package. The printed medium 21 can comprise a conventional shipping label with the identification data 83 encoded in optically-readable form such as an alphanumeric character string, a one- or two-dimensional bar code, or other machine- or human-readable form. The identification data 83 can be used by the computer system 22 to allow product environment data 85, and optionally also tracking data 84, to be associated with the product 13 and/or container 14 as it is shipped via the carrier's logistics network 20.」
（当審訳：[0037]　
製品１３
は，製品
を識別するための識別データ８３を有する
[0038]　一実施形態では，識別データ８３はセンサー１２に記憶され，出荷ルートの１つ以上のポイントでスキャナーによって読み取り可能である。別の実施形態では，識別データ８３は，荷物に貼付された印刷媒体２１上で識別される。印刷媒体２１は，英数字ストリング，一次元または二次元バーコード，あるいは他の機械または人が解読可能な形態などの光学読み取り可能な形態で符号化されている識別データ８３を有する従来の出荷ラベルを備えることができる。
識別データ８３はコンピュータシステム２２によって使用されて，製品環境データ８５，および任意選択的に追跡データ８４を，搬送業者の物流ネットワーク２０を介して出荷されるときに製品１３
と関連付ける
　
（４）コンピュータシステム２２及びデータベース８０に関する記載
「[0061] FIG. 3 shows a block diagram of a computer system 22 in accordance with the invention depicted in FIGS. 1-2. The computer system 22 includes a server 58 and a data storage unit 78. （中略）
[0063] The data storage unit 78 stores a database 80. （中略）For each container 14 and its product 13 that are associated with a user account, the database 80 contains identification data 83 stored in association with tracking data 84 and product environment data 85. 」
（当審訳：[0061]　図３は，図１〜２に示された本発明に従ったコンピュータシステム２２のブロック図を示している。
コンピュータシステム２２はサーバー５８およびデータ記憶ユニット７８を含む
[0063]　
データ記憶ユニット７８はデータベース８０を記憶する。
（５）製品環境データ８５に基づいてコンテナ１４内の製品１３を輸送するためのステップに関する記載
「[0065] FIG. 4 is a process flow diagram that illustrates the steps for transporting a product 13 in a container 14 based on product environment data 85 in accordance with an embodiment of the present invention. At step S100, a scanning device scans an environmental sensor 12 physically associated with the product 13 in the container 14 at a location within the carrier's logistics network 20, to read product environment data 85 from the sensor. （中略）
[0067] At step S102 of FIG. 4, a scanning device is used to read identification data 83 from at least one of the product 13 and container 14. （中略）At step S104, the product 13 and/or container 14 is scanned to read shipping address data that indicates the shipping address of a receiver 18 to which the product and container 14 are to be sent. （中略）
[0068] At step S106, a computer system connected to receive the scanned data from the one or more scanning devices used in the above-indicated steps determines whether the environmental condition of the contained product 13 has transcended a minimum or maximum limit or passed outside of a prescribed range based on the product environment data 85. （中略）
[0069] The transporting of the container 14 depends on whether a minimum or maximum limit or range was transcended based on the product environment data 85. （中略）If the product environment data 85 indicates that no limit or range has been transcended, then at step S108 of FIG. 4, the carrier will continue transporting the product and container 14 to the receiver 18 identified in the shipping address data. However, if it is determined that a minimum or maximum limit has been transcended based on the product environment data 85, then at step S110 the transporting instruction 87 may direct a carrier facility to transport the product and container 14 differently than handling that would otherwise be used in the performance of step S108. For example, the result of transcending a particular limit or range can be such as to require that the product 13 and container 14 be rerouted to an alternate destination. The alternate destination may be a disposal site, or a different receiver than the receiver 18 to whom the product and container 14 were originally to be sent. 」
（当審訳：[0065]　図４は，本発明の実施形態による
製品環境データ８５に基づいてコンテナ１４内の製品１３を輸送するためのステップ
ステップＳ１００において，走査デバイスは，センサーから製品環境データ８５を読み取るために，搬送業者の物流ネットワーク２０内の場所でコンテナ１４内の製品１３に物理的に付随する環境センサー１２を走査する
[0067]　図４の
ステップＳ１０２において，走査デバイスは，製品１３およびコンテナ１４の少なくとも一方から識別データ８３を読み取るために使用される。
ステップＳ１０４において，製品１３および／またはコンテナ１４は，製品およびコンテナ１４が送られる受取人１８の出荷先住所を示す出荷先住所データを読み取るために走査される
[0068]　
ステップＳ１０６において，上記ステップで使用される１つ以上の走査デバイスから走査データを受信するために接続されたコンピュータシステムは，製品環境データ８５に基づいて，梱包製品１３の環境条件が最低または最高限度を超えたか，あるいは所定の範囲を超えたか否かを判断する
[0069]　コンテナ１４の輸送は，製品環境データ８５に基づいて最低または最高限度または範囲を超えたか否かに左右される。（中略）
製品環境データ８５が限度または範囲を超えていなかったことを示すと，図４のステップＳ１０８において，搬送業者は，出荷先住所データにおいて識別された受取人１８への製品およびコンテナ１４の輸送を継続する
製品環境データ８５に基づいて最低または最高限度を超えたと判断されると，ステップＳ１１０において，輸送命令８７は，ステップＳ１０８の実行で使用されるような取扱いとは異なる方法で製品およびコンテナ１４を輸送することを搬送業者の施設に命令することがある。例えば，特定の限度または範囲を超えたという結果は，製品１３およびコンテナ１４が別の目的地に配送されるように必要とされるものであってもよい
　
（６）コンテナ１４内の製品１３が出荷中にさらされる条件を示す履歴データを生成するステップに関する記載
　
「[0070] FIG. 5 is a process flow diagram that illustrates the steps for generating history data indicating the conditions to which a product 13 in a container 14 is subjected during shipping in accordance with an embodiment of the present invention. （中略）
[0071] At step S200, a scanning device scans an environmental sensor 12 physically associated with a product 13 in a container 14 at one or more locations to read product environment data 85 from the sensor. （中略）
[0072] At step S202, a scanning device is used to read identification data 83 from the product 13 and/or the container 14. （中略）At step S204, the identification data 83 and the product environment data 85 are transmitted via a network 32 from the one or more scanners 41 performing the scanning to a computer system 22.
[0073] At step S206 of FIG. 5, the identification data 83 and product environment data 85 is received at the computer system 22 via the network 32 from the one or more scanners 41 performing the scanning. The computer system 22, in step S208, stores the product environment data 85 in association with the identification data 83 in the computer system. At step S210, tracking data 84 is generated. （中略）
[0074] Turning now to FIG. 6, the process continues at step S212, wherein the tracking data 84 is transmitted via the network 32 to the computer system 22 from a scanner 41 performing the scanning. The tracking data 84 is received at the computer system 22 at step S214, and in step S216 the tracking data 84 is stored in association with the identification data 83 and the product environment data 85 in the computer system. The data stored in the computer system 22 provides history data indicating the environmental conditions to which the product 13 in the container 14 has been subjected to at a plurality of locations and times in the transporting of the product.
[0075] At step S218, the computer system 22 receives via the network 32 a request from a user of a computing device to access product environment data 85 associated with a container 14. In one embodiment, the request includes identification data 83 for identifying the container 14. The request can also include user identification data, such as a username and password 81, to be used by the computer system 22 in determining whether a particular user is authorized to access the product environment data 85. Based on the data in the request, at step S220 the computer system 22 retrieves the product environment data 85 that the user is authorized to access, and in step S222 the computer system transmits the product environment data 85 in association with the tracking data 84 from the computer system to the computing device via the network 32.」
（当審訳：[0070]　図５は，本発明の実施形態による
コンテナ１４内の製品１３が出荷中にさらされる条件を示す履歴データを生成するステップ
[0071]　
ステップＳ２００において，走査デバイスは，センサーから製品環境データ８５を読み取るために，１つ以上の場所でコンテナ１４内の製品１３に物理的に付随する環境センサー１２を走査する
[0072]　
ステップＳ２０２において，走査デバイスは，製品１３および／またはコンテナ１４から識別データ８３を読み取るために使用される
ステップＳ２０４において，識別データ８３および製品環境データ８５はネットワーク３２を介して，走査を実行する１つ以上のスキャナー４１からコンピュータシステム２２に送信される
[0073]　図５の
ステップＳ２０６において，識別データ８３および製品環境データ８５は，走査を実行する１つ以上のスキャナー４１からネットワーク３２を介してコンピュータシステム２２で受信される
ステップＳ２０８において，コンピュータシステム２２は，識別データ８３に関連する製品環境データ８５をコンピュータシステムに記憶する
テップＳ２１０において，追跡データ８４が生成される
[0074]　次に図６を見ると，
プロセスはＳ２１２に続き，ここでは追跡データ８４はネットワーク３２を介して，走査を実行するスキャナー４１からコンピュータシステム２２に送信される。追跡データ８４はステップＳ２１４においてコンピュータシステム２２で受信され，ステップＳ２１６において追跡データ８４は識別データ８３および製品環境データ８５と関連してコンピュータシステムに記憶される
[0075]　
ステップＳ２１８において，コンピュータシステム２２はネットワーク３２を介して，リクエストをコンピュータデバイスのユーザから受信し，コンテナ１４に関連する製品環境データ８５にアクセスする。一実施形態では，このリクエストは，コンテナ１４を識別するための識別データ８３を含む。このリクエストはまた，特定のユーザが製品環境データ８５へのアクセスを許可されているか否かを判断する際にコンピュータシステム２２によって使用される，ユーザ名およびパスワード８１などのユーザ識別データを含むことができる。リクエストにおけるデータに基づいて，ステップＳ２２０では，コンピュータシステム２２は，ユーザがアクセス許可されている製品環境データ８５を検索し，ステップＳ２２２では，コンピュータシステムは追跡データ８４に関連する製品環境データ８５を，ネットワーク３２を介してコンピュータシステムからコンピュータデバイスに送信する
　上記製品配送システムの構成，及び，各ステップをまとめると，引用文献１には次の発明（以下，「引用発明」という。）が記載されているといえる。
　
＜引用発明＞
「環境センサー技術が製品配送システムと関連して使用され，製品が供給チェーンを介して移動中にさらされていた環境条件を追跡および確認する方法であって，
　製品配送システムは，発送人１６から受取人１８に出荷される製品１３に物理的に付随する環境センサー１２と，製品を出荷するための搬送業者物流ネットワーク２０と，出荷プロセスの種々の態様を監視するためのコンピュータシステム２２とを備え，
　製品は，製品を識別するための識別データ８３を有し，識別データ８３はコンピュータシステム２２によって使用されて，製品環境データ８５および追跡データ８４を，搬送業者の物流ネットワーク２０を介して出荷されるときに製品１３と関連付け，
　コンピュータシステム２２は，サーバー５８およびデータ記憶ユニット７８を含み，データ記憶ユニット７８はデータベース８０を記憶し，
　製品環境データ８５に基づいてコンテナ１４内の製品１３を輸送するためのステップ（Ｓ１００〜Ｓ１１０）は，
　走査デバイスが，製品環境データ８５を読み取るために，物流ネットワーク２０内の場所で環境センサー１２を走査するステップ（Ｓ１００）と，
　走査デバイスが，製品１３から識別データ８３を読み取るステップ（Ｓ１０２）と，
　走査デバイスが，環境センサー１２等から，出荷先住所データを読み取るステップ（Ｓ１０４）と，
　コンピュータシステムが，走査デバイスから走査データを受信し，製品環境データ８５に基づいて，製品１３の環境条件が最低または最高限度を超えたか否かを判断するステップ（Ｓ１０６）と，
　製品環境データ８５が限度または範囲を超えていなかったことを示すと，出荷先住所データにおいて識別された受取人１８への製品の輸送を継続するステップ（Ｓ１０８）と，
　製品環境データ８５に基づいて最低または最高限度を超えたと判断されると，搬送業者の施設に，製品１３を別の目的地に配送する輸送命令を行うステップ（Ｓ１１０）と，
　を含み，
　また，コンテナ１４内の製品１３が出荷中にさらされる条件を示す履歴データを生成するステップ（Ｓ２００〜Ｓ２２２）は，
　走査デバイスが，製品環境データ８５を読み取るために，物流ネットワーク２０内の場所で環境センサー１２を走査するステップ（Ｓ２００）と，
　走査デバイスが，製品１３から識別データ８３を読み取るステップ（Ｓ２０２）と，
　走査デバイスが，識別データ８３および製品環境データ８５をネットワーク３２を介してコンピュータシステム２２に送信するステップ（Ｓ２０４）と，
　コンピュータシステム２２が，識別データ８３および製品環境データ８５をネットワーク３２を介して走査デバイスから受信するステップ（Ｓ２０６）と，
　コンピュータシステム２２が，識別データ８３に関連する製品環境データ８５を，データベース８０に記憶するステップ（Ｓ２０８）と，
　走査デバイスにおいて追跡データ８４を生成するステップ（Ｓ２１０）と，
　走査デバイスが，追跡データ８４をネットワーク３２を介して，コンピュータシステム２２に送信するステップ（Ｓ２１２）と，
　コンピュータシステム２２が，追跡データ８４を受信するステップ（Ｓ２１４）と，
　コンピュータシステム２２が，追跡データ８４を識別データ８３および製品環境データ８５と関連してデータベース８０に記憶するステップ（Ｓ２１６）と，
　コンピュータシステム２２が，コンピュータデバイスのユーザからネットワーク３２を介して，識別データ８３，ユーザ名，パスワードを含むリクエストを受信し，製品環境データ８５にアクセスするステップ（Ｓ２１８）と，
　コンピュータシステム２２が，ユーザにアクセス許可されている製品環境データ８５を検索するステップと（Ｓ２２０），
　コンピュータシステムが，追跡データ８４に関連する製品環境データ８５を，ネットワーク３２を介してコンピュータシステムからコンピュータデバイスに送信するステップ（Ｓ２２２）を含む，方法。」
　
第４　対比
　
　次に，本願発明と引用発明とを対比する。
（１）本願発明の「複数のメンバーを含むサプライチェーン」は，本願明細書に記載された「【００１３】（中略）メンバー１５は，供給者，パッケージング及び処理センター，輸送システム，流通センター及び受領者（リテールストア，レストランなど）を含む。」によれば，供給者，輸送システム，受領者等のメンバーを含むサプライチェーンである。
　したがって，引用発明における，発送人１６，受取人１８，搬送業者物流ネットワーク２０を含む「供給チェーン」は，本願発明の「複数のメンバーを含むサプライチェーン」に相当する。
　
（２）引用発明の「環境センサー技術が製品配送システムと関連して使用され，製品が供給チェーンを介して移動中にさらされていた環境条件を追跡および確認する方法」は，本願発明の「複数のメンバーを含むサプライチェーンを含むサプライチェーン管理システムを運用する方法」に相当する。
　
（３）引用発明の「製品環境データ８５に基づいてコンテナ１４内の製品１３を輸送するためのステップ（Ｓ１００〜Ｓ１１０）」，及び，「コンテナ１４内の製品１３が出荷中にさらされる条件を示す履歴データを生成するステップ（Ｓ２００〜Ｓ２２２）」は，製品の輸送，出荷中に係るステップである。したがって，これらのステップの前に，製品を輸送，出荷するステップがあることは明らかである。また，搬送業者物流ネットワーク２０に，輸送システムや輸送装置が含まれることは明らかである。
　したがって，このステップは，本願発明の「輸送システムを利用して輸送装置により前記サプライチェーンを介し１以上の商品を移動するステップ」に相当する。
　
（４）引用発明の「コンピュータシステム」は，本願発明の「コントローラ」に相当する。
　
（５）引用発明の「発送人１６から受取人１８に出荷される製品１３に物理的に付随する環境センサー１２」は，環境センサーを製品に割り当てることといえる。
　また，引用発明の「識別データ８３はコンピュータシステム２２によって使用されて，製品環境データ８５および追跡データ８４を，搬送業者の物流ネットワーク２０を介して出荷されるときに製品１３と関連付け」は，コンピュータシステム２２を利用して，環境センサー１２からの製品環境データ８５を，割り当てられた製品１３に関連づけることといえる。
　したがって，引用発明において，環境センサー１２を出荷される製品１３に物理的に付随させることは，本願発明の「コントローラを利用して少なくとも１つのセンサを前記商品に割り当てるステップ」に相当する。
　
（６）引用発明の「コンピュータシステムが，走査デバイスから走査データを受信し，製品環境データ８５に基づいて，製品１３の環境条件が最低または最高限度を超えたか否かを判断するステップ（Ｓ１０６）」，及び，「コンピュータシステム２２が，識別データ８３および製品環境データ８５をネットワーク３２を介して走査デバイスから受信するステップ（Ｓ２０６）」は，本願発明の「前記センサ及び前記コントローラを利用して前記商品の少なくとも１つの状態を監視するステップ」に相当する。
　
（７）引用発明の「コンピュータシステム２２が，識別データ８３に関連する製品環境データ８５を，データベース８０に記憶するステップ（Ｓ２０８）」は，本願発明の「前記コントローラを利用して前記ネットワークを介し前記データベースに前記少なくとも１つの商品の状態を表すデータを通信するステップ」に相当する。
　
（８）引用発明の「コンピュータシステム２２が，コンピュータデバイスのユーザからネットワーク３２を介して，識別データ８３，ユーザ名，パスワードを含むリクエストを受信し，製品環境データ８５にアクセスするステップ（Ｓ２１８）」において，製品環境データ８５にアクセスする「ユーザ」が，どのような人物であるかについて検討する。
　引用文献１には，次の事項が記載されている。
「[0014]　（中略）　A relatively complete record of the environmental conditions to which the product has been subjected can be obtained through this process, even at points of the product's route remote from the scanner location. This permits the carrier, sender, receiver, or other interested party to verify that the product has been subjected to proper environmental conditions during its transportation from the sender to the receiver.」
（当審訳：[0014]（中略）該製品がさらされていた該環境条件の比較的完全な記録を，該スキャナー場所から離れた該製品のルートのポイントにおいても，このプロセスを介して得ることができる。これによって
該搬送業者，発送人，受取人
　「[0003]（中略）The receiver can then open the container and retrieve the product for its own use, or can deliver or sell the product to another person in the distribution chain to the end user of the product.」
（当審訳：
受取人は
自らの使用のために製品を取得し
　上記記載によれば，「ユーザ」は，受取人である消費者を含むといえる。したがって，引用発明の上記ステップは，本願発明の「オンラインアクセスシステムを介し消費者による前記データベースへのアクセスを可能にするステップ」に相当する。
（９）引用発明の「コンピュータシステム２２が，ユーザにアクセス許可されている製品環境データ８５を検索するステップと（Ｓ２２０），
　コンピュータシステムが，追跡データ８４に関連する製品環境データ８５を，ネットワーク３２を介してコンピュータシステムからコンピュータデバイスに送信するステップ（Ｓ２２２）」は，オンラインアクセスシステムを利用して商品の履歴を追跡するステップといえる。
　したがって，引用発明の上記ステップと，本願発明の「前記オンラインアクセスシステムを利用して前記商品の履歴と予測される保存期間との少なくとも１つをほぼリアルタイムにより追跡するステップ」は，「前記オンラインアクセスシステムを利用して前記商品の履歴を追跡するステップ」の点で共通する。
（１０）引用発明の「製品環境データ８５に基づいて最低または最高限度を超えたと判断されると，搬送業者の施設に，製品１３を別の目的地に配送する輸送命令を行うステップ（Ｓ１１０）」は，本願発明の「商品データが所定のパラメータを超過したことに応答して，前記コントローラを介し自動信号を生成するステップ」に相当する。
　また，搬送業者の施設への輸送命令により，搬送業者が製品１３を別の目的地に配送することは明らかであるから，引用発明の上記ステップＳ１１０は，本願発明の「前記自動信号に応答して，前記コントローラ及び前記ネットワークを利用して前記サプライチェーン内に前記商品をリダイレクトするステップ」にも相当する。
　なお，製品環境データ８５が最低または最高限度を超えることと，ユーザが製品環境データ８５にアクセスすることは，独立した時点で発生する事象であるから，引用発明は，ステップＳ２２２の後に上記ステップＳ１１０を行う場合を含むといえる。
　
　したがって，本願発明と引用発明は，次の点で一致する。
　
＜一致点＞
「複数のメンバーを含むサプライチェーンを含むサプライチェーン管理システムを運用する方法であって，
　輸送システムを利用して輸送装置により前記サプライチェーンを介し１以上の商品を移動するステップと，
　コントローラを利用して少なくとも１つのセンサを前記商品に割り当てるステップと，
　前記センサ及び前記コントローラを利用して前記商品の少なくとも１つの状態を監視するステップと，
　前記コントローラを利用して前記ネットワークを介し前記データベースに前記少なくとも１つの商品の状態を表すデータを通信するステップと，
　オンラインアクセスシステムを介し消費者による前記データベースへのアクセスを可能にするステップと，
　前記オンラインアクセスシステムを利用して前記商品の履歴を追跡するステップと，
　商品データが所定のパラメータを超過したことに応答して，前記コントローラを介し自動信号を生成するステップと，
　前記自動信号に応答して，前記コントローラ及び前記ネットワークを利用して前記サプライチェーン内に前記商品をリダイレクトするステップと，
を有する方法。」
　
　そして，本願発明と引用発明は，次の点で相違する。
　
＜相違点１＞
　本願発明は「前記複数のメンバーの１以上がネットワークを介しデータベースにアクセスするステップ」を備えるのに対し，引用発明は上記ステップを備えるかどうか不明な点。
　
＜相違点２＞
　商品の履歴を追跡するステップが，本願発明では「ほぼリアルタムにより」追跡するのに対し，引用発明では，「ほぼリアルタイムにより」追跡するかどうか不明な点。
　
第５　判断
　
＜相違点１＞について
　本願発明の「前記複数のメンバーの１以上がネットワークを介しデータベースにアクセスするステップ」は，「輸送システムを利用して輸送装置により前記サプライチェーンを介し１以上の商品を移動するステップ」の前のステップである。
　そこで，メンバーが，商品を移動する前にデータベースにアクセスすることについて，検討する。
　引用文献１には，データベース（データ記憶ユニット）について次の事項が記載されている。
「[0064] （中略）Furthermore, the data storage unit 78 can store limit/range data 86, which defines the limit or range of measurements of an environmental condition prescribed to be acceptable to prevent spoilage of a product 13 under shipment. The limit/range data 86 can be used by the processor 60 to determine whether a product 13 has been subjected to an environmental condition adversely impacting the product by comparing the product environment data 85 with the limit/range data 86 to determine whether an acceptable limit has been transcended. 」
「当審訳：[0064] （中略）さらに，データ記憶ユニット７８は限度および／または範囲データ８６を記憶することができ，これは出荷中の製品１３の損傷を防止するために，受容可能と規定された環境条件の測定結果の限度または範囲を定義する。限度および／または範囲データ８６は、受容可能な限度を超えたか否かを判断するために製品環境データ８５と限度および／または範囲データ８６とを比較することによって、製品１３が製品に悪影響を及ぼす環境条件にさらされていたか否かを判断するためにプロセッサ６０によって使用可能である。」
「[0069] （中略）　Minimum or maximum limits defining a limit or range of permissible values can be stored in the environmental sensor 12, or they can be stored in a database accessible by the carrier 20 using the identification data 83 associated with at least one of the product 13 and container 14. 」
（当審訳：[0069] （中略）　許容値の限度または範囲を画定する最低または最高限度は環境センサー１２に記憶可能であり、あるいはこれらは、製品１３およびコンテナ１４の少なくとも一方に関連する識別データ８３を使用して搬送業者２０によってアクセス可能なデータベースに記憶可能である。）
　上記記載によれば，搬送業者は，データベースにアクセスして許容値の限度または範囲を画定する最低または最高限度を記憶させているが，これは，搬送業者が，出荷前の準備として，データベースに必要な情報を入力しているといえる。
　したがって，発送人，受取人，搬送業者等の供給チェーンのメンバーは，出荷後にデータベースの製品環境データにアクセスするだけでなく，出荷前にもデータベースにアクセスすることは普通に想到される。
　よって，引用発明において，メンバーが，出荷前の準備のためにデータベースにアクセスして，上記相違点に係るステップを備えるようにすることは，容易に想到し得ることである。
　
＜相違点２＞について
　ユーザが，データベースにアクセスして出荷中の製品の環境状態を確認する場合に，過去だけでなく現在の環境状態を知りたいという要求を有することは当然のことである。したがって，そのようなユーザの要求を満たすために，引用発明において，製品（商品）の履歴をほぼリアルタイムにより追跡することは格別困難ではない。
　よって，引用発明において，出荷中の製品の現状を知りたいというユーザの要求を満たすために，商品の履歴をほぼリアルタイムにより追跡することは容易に想到し得ることである。
　
　そして，本願発明の作用効果も，引用発明，引用文献１の記載事項から当業者が予測できる範囲のものである。
　したがって，本願発明は，引用発明，引用文献１の記載事項に基づいて，当業者が容易に発明をすることができたものであるから，特許法第２９条第２項の規定により特許を受けることができない。
　
第６　むすび
　
 　以上のとおり，本願発明は，引用発明，引用文献１の記載事項に基づいて，当業者が容易に発明をすることができたものであるから，特許法２９条２項の規定により特許を受けることができない。 
 　したがって，本願は他の請求項について検討するまでもなく拒絶されるべきものである。 
 　よって，結論のとおり審決する。